(57)【特許請求の範囲】
【請求項１】
受信機群に音声情報を放送する放送装置、ならびに、音声情報を録音、再生する蓄積装置、ならびに、前記放送装置、前記蓄積装置および電話機群を相互に接続する交換装置を有する放送システムであって、
入力装置から入力された音声情報を前記入力装置から指定された受信機群に対して放送するとき、前記音声情報と前記指定された受信機群を識別するグループ識別情報とを前記蓄積装置に転送する放送装置と、
前記電話機からの所定の特定番号に対する接続要求を検出した場合に、前記電話機と前記蓄積装置とを接続するとともに、前記電話機についてあらかじめ定められたグループ識別情報を前記蓄積装置に通知する交換装置と、
前記放送装置から転送された音声情報およびグループ識別情報を対応させて蓄積するとともに、前記交換装置によって電話機と接続された場合には、前記交換装置から通知されたグループ識別情報と対応付けて蓄積された音声情報を読み出して、前記接続された電話機に送信する蓄積装置と、を備えることを特徴とする放送システム。
【発明の詳細な説明】
【０００１】
【産業上の利用分野】
本発明は、複数の受信機に対して音声情報を伝達するための放送システムに関する。
【０００２】
【従来の技術と発明が解決しようとする課題】
各種の団体で、その団体のローカルな情報伝達手段として、各加入者宅に受信機を置き、随時必要な伝達事項を音声で放送するようにした、いわゆる有線放送システム等はよく知られている。
【０００３】
図２は、そのような放送システムの構成例を示すブロック図であって、放送装置１はスイッチ部２に複数の加入者宅にある各受信機６を接続し、スイッチ部２で選択された受信機６に対して、音声処理部３の出力音声信号を一斉に送信して、各受信機６のスピーカによって、必要な伝達事項を各加入者宅に音声で出力することができるようになっている。
【０００４】
音声処理部３は、入力装置である端末５のマイクロフォン等から音声信号が入力され、その音声信号に増幅等の処理をしてスイッチ部２へ出力する。
端末５にはスイッチ部２による受信機の選択、音声処理部３の出力音声レベル等の制御、その他のための各種操作キーがあり、操作者はそれらのキーを操作し、キー信号を放送制御部４に入力することにより、必要な放送操作を行うことができるようになっている。
【０００５】
一般に、このような放送システムの加入者は、必要な受信情報の分類等に対応して、例えば図に説明のために線で囲んで示すようなグループに群分けして、運用される。なお、図にも例示するように、一加入者が複数のグループに属することもある。
【０００６】
スイッチ部２は、それらのグループの構成情報を保持し、放送に際し放送制御部４を経て受け取るグループ指定に従い、指定のグループの受信機６にのみ、音声処理部３の出力を選択的に送出するように制御するためのスイッチ機構である。
【０００７】
以上のような放送システムでは、放送が行われている時に加入者が受信機６のスピーカの近傍にいなければ、放送された情報を受け取ることができないという問題がある。
【０００８】
このように、何等かの要因で聴取できなかった放送情報を取得するためには、再放送を待つとか、他の加入者に問い合わせるとか等の方法はあるが、当該加入者が、その加入者の可能なときに随時、積極的に聞き逃した情報を直接取得できるようにするための容易な方法が提供されていない。
【０００９】
本発明は、放送された情報を、放送後に随時容易に直接取得できるようにした放送システムを目的とする。
【００１０】
【課題を解決するための手段】
図１は、本発明の構成を示すブロック図である。
図は放送システムの構成であって、放送装置10、交換装置11及び蓄積装置12を有する。
【００１１】
第１の発明の放送システムでは、放送装置10は、入力装置13から入力される音声情報を、入力装置13から指定される受信機に対して放送すると共に、該音声情報を蓄積装置12に転送する。
【００１２】
交換装置11は、電話機からの第１の特定番号に対する接続要求を検出した場合に、当該電話機と蓄積装置12とを接続する。
蓄積装置12は、放送装置10から転送される該音声情報を蓄積し、交換装置11によって該電話機と接続された場合に、蓄積している該音声情報から所定の音声情報を読み出して、当該電話機に送信する。
【００１３】
第２の発明の放送システムでは、放送装置10は、１以上の受信機からなる受信機群と接続され、入力装置13から入力される音声情報を、入力装置13から指定される受信機群に対して放送すると共に、該音声情報を該受信機群の識別情報と共に蓄積装置12に転送する。
【００１４】
交換装置11は、電話機からの第１の特定番号に対する接続要求を検出した場合に、当該電話機と蓄積装置12とを接続して、且つ該電話機について予め定まる該識別情報を通知する。
【００１５】
蓄積装置12は、放送装置10から転送される該音声情報を該識別情報と共に蓄積し、交換装置11によって該電話機と接続された場合に、蓄積している該音声情報から、通知された該識別情報によって定まる音声情報を読み出して、当該電話機に送信する。
【００１６】
第３の発明の放送システムでは、第１又は第２の発明の前記交換装置11は、前記電話機からの第２の特定番号に対する接続要求を検出した場合に、当該電話機を前記放送装置10に接続する。
【００１７】
放送装置10は、交換装置11によって該電話機と接続された場合に、当該電話機を前記入力装置として前記処理を行う。
【００１８】
【作用】
本発明の放送システムにより、放送システムの加入者は、受信機と共に一般に加入者宅に既存の電話機を使って、既に放送された情報を随時聞くことができるようになる。
【００１９】
従って、放送された情報を、放送後に加入者が随時容易に直接取得することが、既存の電話機交換設備を放送システムに組み込むように若干の変更を行うことによって、経済的に実現される。
【００２０】
【実施例】
図３は、本発明の実施例を示すブロック図である。放送システムは放送装置10、交換装置11及び蓄積装置12を有する。
【００２１】
放送装置10は前記従来の放送装置１と同様のスイッチ部２により、各加入者宅の受信機６と接続し、従来と同様に端末５からの操作によって入力される音声信号を指定の加入者の受信機６へ送信するようになっている。
【００２２】
そのために音声処理部20及び放送制御部21は前記従来の音声処理部３及び放送制御部４と同じ機能を保持し、且つ本発明により次の機能を有する。
即ち、放送装置10は蓄積装置12及び交換装置11と接続し、音声処理部20はスイッチ部２に出力する音声信号を蓄積装置へも分岐出力し、又交換装置11により電話機と接続された場合に、電話機からの入力音声を端末５からの入力音声と同様にスイッチ部２に出力する。
【００２３】
放送制御部21には、端末５等から指定されたグループ指定の情報を蓄積装置12へも送るパスが設けられ、又交換装置11からグループ指定情報を受け取って、端末５からの指定と同様に処理する。
【００２４】
蓄積装置12は放送記憶部22、入力制御部23及び出力制御部24を有し、放送記憶部22は例えば音声信号と、音声信号の索引情報とを記憶するための例えば磁気ディスク記憶装置で構成される。
【００２５】
入力制御部23は、放送装置の放送制御部21からグループ指定を受け取ると、記憶装置の空き領域を選択して、グループ指定に指定されているグループ識別名と空き領域のアドレスと、要すれば記録日時を対応付けた索引情報を放送記憶部22の索引情報領域に記憶し、続いて音声処理部20から受け取る音声信号を、その空き領域に記憶する。
【００２６】
前記で空き領域を選択して、領域が無かった場合に入力制御部23は、例えば指定のグループの最も古い情報を記録している領域を選択し、それを空き領域として使用する。
【００２７】
出力制御部24は、交換装置11と接続し、後述のようにして交換装置11からグループ識別名を受け取り、交換装置11により電話機と接続されると、次のように制御を行う。
【００２８】
即ち出力制御部24は、放送記憶部22の索引情報領域を検索して、受け取ったグループ識別名で記憶されている音声信号の記憶領域のアドレスを知り、それらのアドレスの記憶領域にある音声信号を、例えば新しい順に読み出して、接続されている電話機へ順次送出する。
【００２９】
なお、出力制御部24に例えば電話機のタッチトーン信号の受信機能を設け、所定の手順のダイヤル操作で電話機から送出されるタッチトーン信号を、日時指定として識別し、指定の日時以後に記録された音声信号のみを送出するようにしてもよい。
【００３０】
検索情報領域を検索した結果、該当するグループ識別名が無かった場合（及び日時指定を可能にした場合に、該当期間の記録が無かった場合も含む）には、出力制御部24は予め定まる一定の記憶領域の音声情報を読み出して送出する。そのために、この記憶領域には該当する伝達情報が無いことを通知する内容の音声を別途予め記録しておく。
【００３１】
交換装置11は複数の電話機７を接続し、任意の電話機７相互に電話の通話路を設定する通常の電話交換機能を有し、このための通話路部25と交換制御部26とを有する。
【００３２】
通話路部25は通常のように、交換制御部26の制御に従って所要の電話機７相互等の間に通話路を構成し、又電話機７の起呼を検出して制御情報の授受のために、電話機７と交換制御部26とを接続する経路を設定する機能を持つ。
【００３３】
交換制御部26は、通常の電話交換の制御機能を持つと共に、次に述べるように本発明による制御を行う。
本発明により交換装置11には、放送装置10と接続する放送システムの加入者宅の電話機７を収容すると共に、電話機の一つとして蓄積装置の出力制御部24との接続を設ける。又、必要な場合には別の電話機の一つとして放送装置の音声処理部20との接続を設け、且つ交換制御部26と出力制御部24及び放送制御部21との間に制御情報の転送線を設ける。
【００３４】
電話機７の起呼により、交換制御部26は起呼した電話機７と接続し、通常の機能としてその起呼電話機７の電話番号を識別し、又呼出し先を指定するダイヤル信号を受信して被呼電話番号として識別する処理を通常のように行う。
【００３５】
その結果、被呼電話番号が、予め設けられている特定の電話番号のうちの、放送聴取特番であった場合には、交換制御部26は起呼電話機７の加入者の属する放送システムにおけるグループを識別する。
【００３６】
このために、交換装置11には、例えば交換制御部26の作業用の記憶装置である記憶部27にグループリスト28を設け、グループリスト28には電話番号とグループ識別名との対応を、所要の各電話番号について記録しておく。
【００３７】
交換制御部26はグループリスト28を、起呼電話機７の電話番号によって検索し、対応するグループ識別名を得ると、蓄積装置の出力制御部24と起呼電話機７との間の通話路を設定するように通話路部25を制御し、又出力制御部24に対し起呼電話機７のグループ識別名を通知する。
【００３８】
そこで、出力制御部24は前記のようにして、蓄積している放送情報を電話機７へ送出する。
もし、起呼電話機７の電話番号がグループリスト28に登録されていない場合に交換制御部26は、例えば以上の出力制御部24との接続処理を行わず、例えば通常の電話交換で呼出し先の電話番号が無い場合と同様に処理する。
【００３９】
交換制御部26は、前記のように識別した被呼電話番号が、特定電話番号のうちのグループ放送特番であった場合には、前記と同様にグループリスト28から起呼電話機７のグループ識別名を検索し、グループ識別名が得られると、放送装置の音声処理部20と起呼電話機７との間の通話路を設定するように通話路部25を制御し、又放送制御部21に対し起呼電話機７のグループ識別名を通知する。
【００４０】
そこで、放送装置10では前記のとおり、交換装置11からのグループ指定に従ってグループの受信機６を選択し、電話機７から交換装置11の通話路を経由して入力される音声を放送する。又、この放送内容は前記のように蓄積装置12へ蓄積される。
【００４１】
図４は、交換制御部26の処理の流れの一例を示す図である。交換制御部26は何れかの電話機７の起呼によって電話機と接続されると、処理ステップ30で起呼電話番号を保持し、処理ステップ31で電話機７から送られるダイヤル信号を受信し識別して、被呼電話番号として保持する。
【００４２】
処理ステップ32、33で、被呼電話番号が放送聴取特番か、又はグループ放送特番かを識別し、何れでもなければ通常の交換処理へ進む。
放送聴取特番かグループ放送特番であった場合には、処理ステップ34で起呼電話番号によってグループリスト28を検索する。処理ステップ35でグループリストに起呼電話番号が登録されていたかを識別する。
【００４３】
登録されているグループ識別名を得た場合には、処理ステップ36で各特番で定まる電話番号端子を接続するように通話路部25を制御することにより、蓄積装置の出力制御部24又は放送装置の音声処理部20と起呼電話機との間に通話路を構成し、処理ステップ37で接続先装置、即ち蓄積装置の出力制御部24又は放送装置の放送制御部21へグループ識別名を通知して処理を終わる。
【００４４】
処理ステップ35でグループリストに起呼電話番号が登録されていないことが分かると、処理ステップ38で通常の処理で呼出し先が無い場合の番号誤りを伝えるメッセージの送信端子へ接続するように制御して処理を終わる。
【００４５】
図５は蓄積装置12の処理の流れの一例を示す図である。蓄積装置の入力制御部23は、放送装置の放送制御部21からグループ指定の情報が転送されることにより起動し、図５(a）の処理ステップ40でそのグループ指定を受信すると、処理ステップ41で記憶装置41の空き領域を探して決定する処理を行う。
【００４６】
処理ステップ42で空き領域が得られたか識別し、空き領域が無いときは、処理ステップ43で検索情報領域を検索することにより、指定のグループについて蓄積されている放送の内、最も古いものの領域を空き領域として選ぶ。
【００４７】
次に処理ステップ44で、索引情報として、指定グループのグループ識別名と、現日時と、選択した空き領域のアドレスとを、索引情報領域に記録した後、処理ステップ45で、選択した空き領域に、音声処理部20から転送される放送音声信号を録音する。放送の終了は、例えば放送制御部21からのグループ指定の信号が断たれることで検出し、処理を終わる。
【００４８】
蓄積装置の出力制御部24は、交換装置の交換制御部26からグループ識別名が転送されることにより起動し、図５(b）の処理ステップ50でそのグループ指定を受信すると、処理ステップ51で放送記憶部22の検索情報領域を指定されたグループ識別名で検索して、該当する項目を読み出す。
【００４９】
指定のグループ識別名が検索情報領域に記録されていたかを処理ステップ52で識別し、記録があった場合は処理ステップ53で読み出した項目を例えば記録日時順に並べた後、処理ステップ54で例えば最新の項目から順に取り出し、放送記憶部22の、その項目に記録されているアドレスに録音されている放送内容を読み出して電話機７へ放送の音声信号を送出する。
【００５０】
１項目ごとに処理ステップ55で、読み出してある全項目を処理したか識別して、未送信があれば処理ステップ54に戻り、全項目に対応する放送内容を送信すると、処理ステップ56で放送記憶部22の所定の録音領域にある終了メッセージを読み出して送信して処理を終わる。
【００５１】
処理ステップ52で、検索情報領域に指定のグループ識別名がある項目の記録が無いことが分かった場合は、処理ステップ57で、放送内容の録音が無いことを通知する適当なメッセージを、所定の録音領域から読み出して電話機７に送信し、処理を終わる。
【００５２】
【発明の効果】
以上の説明から明らかなように本発明によれば、放送システムの加入者が、放送された情報を放送後に随時聴取することが、既存の電話機交換設備を放送システムに組み込むように若干の変更を行うことによって経済的に実現できるので、放送システム利用性を改善するという著しい工業的効果がある。
【図面の簡単な説明】
【図１】  本発明の構成を示すブロック図
【図２】  従来の構成例を示すブロック図
【図３】  本発明の実施例構成を示すブロック図
【図４】  本発明の処理の流れ図（その１）
【図５】  本発明の処理の流れ図（その２）
【符号の説明】
１、10  放送装置
２  スイッチ部
３、20  音声処理部
４、21  放送制御部
５  端末
６  受信機
７  電話機
11  交換装置
12  蓄積装置
13  入力装置
22  放送記憶部
23  入力制御部
24  出力制御部
25  通話路部
26  交換制御部
27  記憶部
28  グループリスト
30〜38、40〜45、50〜57  処理ステップ
【図１】
0003782483.tif 000002
【図２】
0003782483.tif 000003
【図３】
0003782483.tif 000004
【図４】
0003782483.tif 000005
【図５】
0003782483.tif 000006